(57)【要約】  通信回線の障害を遠隔で分析するための診断エンジンであって、回線の終端に連結されるように構成されており、−  終端に連結されるように構成され、メタリック回線テスト測定技法によって、第１のあらかじめ定められた回線特性を測定するように構成された第１の測定モジュールと、−  第１のあらかじめ定められた回線特性に基づいて、回線の障害を検出して、その後すぐに決定モジュールをトリガするための障害検出モジュールと、−  回線がショータイムモードであるかどうかを決定して、その後すぐにその旨を決定モジュールに通知するために、終端に連結されるべきショータイムモジュールと、−  回線がショータイムモードである場合、第２の測定モジュールのアクティブ化をトリガするように構成された決定モジュールと、−  終端に連結され、デュアルエンド回線テスト測定技法によって第２のあらかじめ定められた回線特性を測定するように構成された第２の測定モジュールと、−  第１の測定モジュールおよび第２の測定モジュールに連結され、回線の測定された第１のあらかじめ定められた回線特性と第２のあらかじめ定められた回線特性とを結合して、それをもって障害のさらなる特徴を分析するように構成された結合モジュールとを備える、診断エンジン。
2014534662.tif 000002
【特許請求の範囲】
【請求項１】
通信回線の障害を遠隔で分析するための診断エンジン（ＤＥ）であって、前記診断エンジンが、前記回線の終端に連結されるように構成されており、
−  前記終端に連結されるように構成され、メタリック回線テスト測定技法によって、第１のあらかじめ定められた回線特性を測定するように構成された第１の測定モジュール（ＭＥＬＴ）と、
−  前記第１のあらかじめ定められた回線特性に基づいて、前記回線の障害を検出して、その後すぐに決定モジュール（ＤＥＴ）をトリガするための障害検出モジュール（ＦＡＵＬＴ）と、
−  前記回線がショータイムモードであるかどうかを決定して、その後すぐにその旨を前記決定モジュールに通知するために、前記終端に連結されるべきショータイムモジュール（ＳＨＯＷＴＩＭＥ）と、
−  前記回線がショータイムモードである場合、第２の測定モジュール（ＤＥＬＴ）のアクティブ化をトリガするように構成された前記決定モジュール（ＤＥＴ）と、
−  前記終端に連結され、デュアルエンド回線テスト測定技法によって第２のあらかじめ定められた回線特性を測定するように構成された前記第２の測定モジュール（ＤＥＬＴ）と、
−  前記第１の測定モジュールおよび第２の測定モジュールに連結され、前記回線の前記測定された第１のあらかじめ定められた回線特性と第２のあらかじめ定められた回線特性とを結合して、それをもって前記障害のさらなる特徴を分析するように構成された結合モジュール（ＣＭ）とを備えることを特徴とする、診断エンジン。
【請求項２】
前記診断エンジン（ＤＥ）が、前記障害検出モジュール（ＦＡＵＬＴ）に連結されるべき、および前記障害が重度の障害かどうかを決定して、その後すぐにその旨を決定モジュール（ＤＥＴ）に通知するように構成された、重度モジュール（ＳＥＶＥＲＥ）と、
前記回線がショータイムモードであり、前記障害が重度の障害である場合、前記回線の同期モードの再起動を強制して、それによって、少なくとも前記同期モードの間、前記デュアルエンド回線テスト測定技法によって前記第２のあらかじめ定められた回線特性の測定を保証するようにさらに構成された前記決定モジュール（ＤＥＴ）であって、前記重度の障害が、起こりうるＭＥＬＴ障害の中の障害の種類のあらかじめ定義されたカテゴリである前記決定モジュール（ＤＥＴ）をさらに備えることを特徴とする、請求項１に記載の診断エンジン（ＤＥ）。
【請求項３】
前記決定モジュール（ＤＥＴ）が、前記回線の前記同期モードの前記再起動、および前記第２の測定モジュール（ＤＥＬＴ）の前記アクティブ化の前記トリガを、あらかじめ定義された時間まで遅延させるようにさらに構成されていることを特徴とする、請求項２に記載の診断エンジン（ＤＥ）。
【請求項４】
前記決定モジュール（ＤＥＴ）が、前記回線がショータイムモードではなく、前記障害が重度の障害である場合、前記回線の同期モードが開始するまで待機して、それによって、少なくとも前記同期モードの間、前記デュアルエンド回線テスト測定技法によって前記第２のあらかじめ定められた回線特性の測定を保証するようにさらに構成されていることを特徴とする、請求項２に記載の診断エンジン（ＤＥ）。
【請求項５】
前記決定モジュール（ＤＥＴ）が、前記回線がショータイムモードではなく、前記障害が重度の障害ではない場合、前記ショータイムモジュール（ＳＨＯＷＴＩＭＥ）が前記回線はショータイムモードであると報告するまで、前記第２の測定モジュールのアクティブ化を遅延させるようにさらに構成されていることを特徴とする、請求項２に記載の診断エンジン（ＤＥ）。
【請求項６】
診断エンジンが通信アクセスノードに含まれることを特徴とする、請求項１に記載の診断エンジン（ＤＥ）。
【請求項７】
前記回線がＤＳＬ通信回線であることを特徴とする、請求項１に記載の診断エンジン（ＤＥ）。
【請求項８】
通信回線の障害を遠隔で分析するための方法であって、
−  メタリック回線テスト測定技法（ＭＥＬＴ）によって、前記回線の終端で第１のあらかじめ定められた回線特性を測定するステップと、
−  障害検出モジュール（ＦＡＵＬＴ）で、前記第１のあらかじめ定められた回線特性に基づいて、前記回線の障害を検出して、それによって、そのような障害を検出した場合、決定モジュールをトリガするステップと、
−  ショータイムモジュール（ＳＨＯＷＴＩＭＥ）で、前記回線がショータイムモードであるかどうかを決定して、その後すぐにその旨を決定モジュール（ＤＥＴ）に通知するステップと、
−  前記決定モジュール（ＤＥＴ）で、前記回線がショータイムモードである場合、第２の測定モジュール（ＤＥＬＴ）のアクティブ化をトリガするステップと、
−  前記第２の測定モジュール（ＤＥＬＴ）で、デュアルエンド回線テスト測定技法によって、第２のあらかじめ定められた回線特性を測定するステップと、
−  結合モジュール（ＣＭ）で、前記回線の前記測定された第１のあらかじめ定められた回線特性と第２のあらかじめ定められた回線特性とを結合して、それをもって前記障害のさらなる特徴を分析するステップとを備えることを特徴とする方法。
【請求項９】
請求項８に記載の通信回線の障害を遠隔で分析するための方法であって、
−  重度モジュール（ＳＥＶＥＲＥ）によって、前記障害が重度の障害かどうかを決定して、その後すぐにその旨を前記決定モジュール（ＤＥＴ）に通知するステップと、
−  前記決定モジュール（ＤＥＴ）によって、前記回線がショータイムモードであって、前記障害が重度の障害である場合、前記回線の同期モードの再起動を強制して、それによって、少なくとも前記同期モードの間、前記デュアルエンド回線テスト測定技法によって前記第２のあらかじめ定められた回線特性の測定を保証するステップであって、前記重度の障害が、起こりうるＭＥＬＴ障害の中の障害の種類のあらかじめ定義されたカテゴリである、保証するステップとをさらに備えることを特徴とする、方法。
【請求項１０】
請求項９に記載の通信回線の障害を遠隔で分析するための方法であって、前記回線がショータイムモードではなく、前記障害が重度の障害である場合、前記回線が同期モードに入るまで待機して、それによって、少なくとも前記同期モードの間、前記デュアルエンド回線テスト測定技法によって前記第２のあらかじめ定められた回線特性の測定を保証するステップをさらに備えることを特徴とする、方法。
【請求項１１】
請求項９に記載の通信回線の障害を遠隔で分析するための方法であって、前記回線がショータイムモードではなく、前記障害が重度の障害ではない場合、前記ショータイムモジュール（ＳＨＯＷＴＩＭＥ）が、受信されている前記回線は受信されているショータイムモードであると報告するステップまで待機するステップをさらに備えることを特徴とする、方法。
【発明の詳細な説明】
【技術分野】
【０００１】
本発明は、通信回線の障害を遠隔で分析するための診断エンジン、およびそのような回線の障害を遠隔で分析するための方法に関する。
【背景技術】
【０００２】
アクセスネットワーク事業者は、デジタル加入者線のＤＳＬアクセスネットワークなどのアクセスネットワークを介して新しい高データレートのマルチメディアサービスの恩恵を受けるための顧客のニーズの高まりに応えるという課題を有している。ＤＳＬ展開の拡大に伴い、ＤＳＬネットワークの事前資格審査やメンテナンスが不可欠である。
【０００３】
狭帯域回線テスト（Ｎａｒｒｏｗ  Ｂａｎｄ  Ｌｉｎｅ  Ｔｅｓｔｉｎｇ）ＮＢＬＴに由来するメタリック回線テスト（Ｍｅｔａｌｌｉｃ  Ｌｉｎｅ  Ｔｅｓｔｉｎｇ）ＭＥＬＴ、およびデュアルエンド回線テスト（Ｄｕａｌ  Ｅｎｄｅｄ  Ｌｉｎｅ  Ｔｅｓｔｉｎｇ）ＤＥＬＴが、２つのループテストおよび資格審査技術である。
【０００４】
ＭＥＬＴ手法によれば、電話の周波数帯域における電気パラメータが低周波数回線モデルによって測定されるが、ＤＥＬＴの周波数帯域の方がより広い。ＭＥＬＴを実現するツールは、遠隔ユニットまたは中央局のいずれかにおいて、通信回線の１つの終端でモデムに組み込まれる。ＭＥＬＴ測定技法は、ＤＳＬ回線がショータイム（ｓｈｏｗｔｉｍｅ）モードの時だけでなく、ＤＳＬ回線がショータイムモードではない時にも実行される。
【０００５】
ＤＳＬモデムの電源を入れると、以下では同期モードと呼ばれる同期手順を経ることを説明しなければならない。この実際の同期手順はモデムによって異なるが、一般的に以下のステップを含む：
１．ＤＳＬトランシーバがセルフテストを実行する、および、
２．ＤＳＬトランシーバが、ＤＳＬトランシーバとコンピュータとの間の接続を調べる、および、
３．次いで、ＤＳＬトランシーバがＤＳＬＡＭとの同期を試みる。データは、ＤＳＬＡＭとモデムが同期している時にのみコンピュータに入ることができる。同期処理は比較的迅速（数十秒の範囲内）であるが、非常に複雑であり、使用中の回線の特性に応じて接続の両側が性能を最適化することを可能にする広範囲のテストを含む。外部モデムユニットまたはスタンドアロンモデムユニットは、モデムが同期されているかどうかを知るために使用され得る、「ＣＤ」、「ＤＳＬ」、または「ＬＩＮＫ」とラベル付けされたインジケータを有する。同期中は光が点滅する。同期されると、光は通常緑色で点灯し続ける。現代のＤＳＬゲートウェイはより多くの機能を有し、通常はＰＣの起動に非常に類似している初期化手順を経る。フラッシュメモリからシステム画像がロードされる。システムが起動すると、ＤＳＬ接続を同期させて、ＤＨＣＰやＰＰＰｏＥなどのプロトコルを使用してローカルネットワークとサービスプロバイダとの間のＩＰ接続を確立する。
【０００６】
さらに、ユーザとネットワークがアクセスネットワークを介して通信を開始することができるモードを説明するために、ショータイムモードという表現がＤＳＬ用語で使用される。これは、レート適応、ならびにサービスレベル契約（Ｓｅｒｖｉｃｅ  Ｌｅｖｅｌ  Ａｇｒｅｅｍｅｎｔ）ＳＬＡに基づいて特定のビットエラーレートを達成するために特定の銅ループ上でサポートされ得る帯域幅およびデータレートの調整を可能にするために、あるいはより長いループ長またはリーチを実現するために利用されている、知られている手順が完了すること、すなわち、最初のレート適応動作および電力調整が実行されて、ネットワークとユーザとの間の通信が開始できることを意味する。
【０００７】
共通の理解は、これら２つの上記で説明した異なる位相、すなわち同期モードおよびショータイムモードを考慮することである。同期モードは、上述のチャネル固有のパラメータが測定される同期位相であり、ショータイムモードは、エンドユーザから見て回線が実際に稼働中である期間を指す。
【０００８】
デュアルエンド回線テストＤＥＬＴは、ＤＳＬ物理層パラメータの利用に基づく。ＤＥＬＴテストは、より高い回線周波数の問題を特定して、接触不良、干渉、アンバランスなループなどの問題を検出することができるようにする。ＤＥＬＴのための測定は、両方のループ終端でモデムによって実行され、ＤＳＬサービスがアクティブである、すなわちＤＳＬ回線がショータイムモードである時にのみ行われる。デュアルエンド回線テストＤＥＬＴ測定技法は、回線の動作パラメータを使用することによって問題を診断して、それらのＤＳＬサービスへの影響を直接定量化する。ＤＥＬＴ測定は、回線がショータイムモードの時、すなわちサービス中の時、または回線がサービスモードに入る直前、すなわち同期モード位相の間にｘＤＳＬモデム自体によって行われるので、ＤＥＬＴは回線へのモデムの接続、ならびにＤＳＬサービスの存在を必要とする。回線が破損するか、加入者宅内機器（Ｃｕｓｔｏｍｅｒ  Ｐｒｅｍｉｓｅ  Ｅｑｕｉｐｍｅｎｔ）ＣＰＥが全く存在しない場合、回線特性の測定を利用することはできない。デュアルエンド回線テストモジュールは、診断エンジン、すなわちデュアルエンド回線テスト測定値を収集するためのテスト装置で構成することができる。上記で説明したように、ＤＥＬＴのための測定は、上記のようなデジタル加入者線アクセス多重化装置ＤＳＬＡＭ、および加入者宅内機器ＣＰＥ自体などの通信アクセスノードによって実行される。測定値は、たとえば、アクセスノードの管理情報ベースに格納される。
【０００９】
通信回線のグローバル回線の特性を遠隔で決定するための知られている診断エンジンは、ＭＥＬＴ測定モジュールとＤＥＬＴ測定モジュールとを備える完全なモジュールアプリケーションでよい。このような診断エンジンは、ＤＳＬ回線における性能を診断して、障害を検出して、安定化および改善させるために、ＭＥＬＴ測定を開始して、ＤＥＬＴ測定を開始することができる。
【００１０】
ＭＥＬＴ技法およびＤＥＬＴ技法にはそれら自体の利点および不便さがあるので、ＭＥＬＴの限界を克服するために、ＭＥＬＴへの反応過程としてＤＥＬＴを相補的に起動することができる。
【００１１】
通信回線に、短絡、水の浸入、接触の劣化などのあらゆる種類の障害が発生する可能性がある。ＭＥＬＴ技法で「短絡」または「開回路」などの障害を検出することはできるが、ＭＥＬＴはこのような障害の位置を特定するための機能の精度が限られている。これは、ＭＥＬＴ技法のみに基づいて障害の位置を特定することは困難であることを意味する。したがって、ＭＥＬＴは障害を検出することはできるものの、障害の位置を特定することや、少なくとも十分な精度で障害の位置を特定することはできない。このように、ＭＥＬＴの診断能力は限られている。ＭＥＬＴ測定技法だけに基づいてサービス影響の定量化を決定することはできず、広帯域サービスへの影響を予測することは困難である。一方、ＤＥＬＴ測定技法では、稼働中および経時的な診断結果を含む徹底的な回線診断を開始することによって、障害の影響を高精度で定量化することができる。
【００１２】
実際の問題は、現在、ヘルプデスクで顧客が苦情を言っている時に徹底的な回線診断をトリガするためには、手動の介在が必要とされることである。たとえば６時間などの一定の時間にわたるＤＥＬＴモニタリングによるこのような徹底的な回線品質診断は、そのような手順を実行するために多くの時間を必要とするため、事業者にとって高いコストが生成される。実際の手順は、手動の手順を実行することによって多くの時間が費やされる反応過程と考えられる。
【先行技術文献】
【非特許文献】
【００１３】
【非特許文献１】Ｓｔａｎｄａｒｄｓ  ＳＥＲＩＥＳ  Ｇ：ＴＲＡＮＳＭＩＳＳＩＯＮ  ＳＹＳＴＥＭＳ  ＡＮＤ  ＭＥＤＩＡ，  ＤＩＧＩＴＡＬ  ＳＹＳＴＥＭＳ  ＡＮＤ  ＮＥＴＷＯＲＫＳ−デジタルセクションおよびデジタル回線システム−アクセスネットワーク：Ｇ．９９６．２を参照するデジタル加入者線（ＤＳＬ）用のシングルエンド回線テスト
【発明の概要】
【発明が解決しようとする課題】
【００１４】
本発明の目的は、通信回線の障害を遠隔で分析するための診断エンジン、および知られているタイプの方法ではあるが、手動による処理のトリガリングが回避される方法などの、関連する方法を提供することである。
【課題を解決するための手段】
【００１５】
本発明によれば、この目的は、ＭＥＬＴなどの日常の回線テスト測定値の結果に偏差を検出すると、サービス感受性回線テスト測定ＤＥＬＴの実行が自動的にトリガされるという事実によって達成される。こうすると、処理が事前対応型の処理になる。
【００１６】
実際に、通信回線の障害を遠隔で分析するための診断エンジンが特許請求の範囲に記載されている。診断エンジンは、回線の終端に連結されており、以下を備える：
−  終端に連結されるように構成され、メタリック回線テスト測定技法によって、第１のあらかじめ定められた回線特性を測定するように構成された第１の測定モジュール、および、
−  第１のあらかじめ定められた回線特性に基づいて、回線の障害を検出して、その後すぐに決定モジュールをトリガするための障害検出モジュール、および、
−  回線がショータイムモードであるかどうかを決定して、その後すぐにその旨を決定モジュールに通知するために、終端に連結されたショータイムモジュール、および、
−  回線がショータイムモードである場合、第２の測定モジュールのアクティブ化をトリガするように構成された決定モジュール、および、
−  この第２の測定モジュールは、終端に連結されて、徹底的な回線診断を実行することができるデュアルエンド回線テスト測定技法によって、第２のあらかじめ定められた回線特性を測定するように構成されており、
−  第１の測定モジュールおよび第２の測定モジュールに連結するように構成され、回線の測定された第１のあらかじめ定められた回線特性と第２のあらかじめ定められた回線特性とを結合して、それをもって障害のさらなる特徴を分析するように構成された結合モジュール。
【００１７】
このソリューションの主な利点は、ＭＥＬＴまたはＤＥＬＴのいずれかを別々に使用するのではなく、ＭＥＬＴおよびＤＥＬＴの両方の利点が活用されるという事実にある。これは、ＭＥＬＴの相補的なツールとしてＤＥＬＴを用いることによって、および両方の手法間に自動連携をインストールすることによって実現される。これによって、いくつかの種類の障害についてより多くの情報が得られ、ＭＥＬＴによって検出された異常のサービス影響を定量化することができる。したがって、手動の介在が回避される。本出願は、障害が検出された時点で、徹底的な回線診断のためのデュアルエンド回線テストの実行をトリガする自動処理を設計し、また、ＤＳＬ事業者が時間を稼いで、ヘルプデスクでのコストおよび顧客の苦情の数を減少させるのを助ける。
【００１８】
このように、通信回線の障害を遠隔で分析するための方法は、メタリック回線テスト測定技法によって、回線の終端で第１のあらかじめ定められた回線特性を測定するステップを説明する。ＭＥＬＴは、サービスアクティブ化、すなわちショータイムモードまたは非ショータイムモードとは無関係に機能する。しかし、ＭＥＬＴは、サービス影響を定量化することができず、ＭＥＬＴの診断は限られている。しかし、第１のあらかじめ定められた回線特性に基づいて、回線の障害を検出することができる。障害の発生は、たとえば、測定された値を異なる期間およびより長い期間にわたって比較することによって決定され得る。主な偏差が登録されている場合には、障害の存在を疑うことができる。したがって、本方法は、第１のあらかじめ定められた回線特性に基づいて、回線の障害を検出して、それによって、そのような障害を検出した場合、決定モジュールをトリガするステップを備える。
【００１９】
さらに、本方法は、ショータイムモジュールで、回線がショータイムモードであるか否かを決定して、その後すぐにその旨を決定モジュールに通知する、すなわち、ショータイムモジュールが決定モジュールに「ショータイムモード信号」または「非ショータイムモード信号」のいずれかを報告するステップを備える。回線がショータイムモードである場合、トリガリングの自動ステップは、第２の測定モジュールをアクティブ化するために決定モジュールによって実行される。実際、ＭＥＬＴはサービスアクティブ化とは無関係に機能するので、すなわち回線は完全に停止しているか、あるいは同期モードまたはショータイムモードの中間位相のいずれかである。ＤＥＬＴは両端でモデム間の通信を必要とするので、この態様はチェックされるべきである。回線がショータイムモードである場合、決定モジュールが第２の測定モジュールのアクティブ化をトリガするステップを実行する。この第２の測定モジュールは、デュアルエンド回線テスト測定技法によって第２のあらかじめ定められた回線特性を測定するステップと、それによって徹底的な回線診断を行うステップを実行する。最後に、結合モジュールが、回線の測定された第１のあらかじめ定められた回線特性と第２のあらかじめ定められた回線特性とを結合するステップと、それをもって障害のさらなる特徴を分析するステップを実行する。このように、ＤＥＬＴ測定に基づいて、接触不良、非撚り線（ｕｎｔｗｉｓｔｅｄ  ｗｉｒｅ）、ループアンバランス、異常なクロストーク、ブリッジタップのような問題などの障害が検出される。ＤＥＬＴが自動的にトリガされて、サービス影響の異常を定量化して障害診断を精密にするために、経時的なＤＥＬＴモニタリングを自動的に開始する。
【００２０】
この基本的な考え方の好ましい実施形態は、診断エンジンが、障害検出モジュールに連結され、障害が重度の障害であるか否かを決定して、その後すぐにその旨を決定モジュールに通知するように構成された、重度モジュールをさらに備えることである。これによって、決定モジュールは、回線がショータイムモードであり、障害が重度の障害である場合、回線の同期モードの再起動を強制するようにさらに構成される。これによって、決定モジュールは、少なくとも同期モードの位相の間、前記デュアルエンド回線テスト測定技法によって第２のあらかじめ定められた回線特性の測定が実行されることを保証する。そのような重度の障害は、たとえば事業者によって、起こりうるＭＥＬＴ障害の中の障害の種類のあらかじめ定められたカテゴリとしてあらかじめ定義される。
【００２１】
Ｓｔａｎｄａｒｄｓ  ＳＥＲＩＥＳ  Ｇ：ＴＲＡＮＳＭＩＳＳＩＯＮ  ＳＹＳＴＥＭＳ  ＡＮＤ  ＭＥＤＩＡ，  ＤＩＧＩＴＡＬ  ＳＹＳＴＥＭＳ  ＡＮＤ  ＮＥＴＷＯＲＫＳ−デジタルセクションおよびデジタル回線システム−アクセスネットワーク：Ｇ．９９６．２を参照するデジタル加入者線（ＤＳＬ）用のシングルエンド回線テストには、起こりうるＭＥＬＴ障害が記載されていることを説明しなければならない。事業者の好みによって、事業者は、起こりうる種類のＭＥＬＴ障害を「重度の障害」または「比較的軽度の障害」によるカテゴリに分類する。上述した規格によって記述される、および事業者によってあらかじめ定義され得る値を有するいくつかのＭＥＬＴのデフォルトの可能な分類の例は、以下のように与えられ得る：
Ａ）重度の障害：
−  絶縁抵抗が＜１５０ｋ  Ｏｈｍｓである抵抗性障害
−  電線の電圧が＞５０Ｖである、危険な電圧
Ｂ）重度の障害ではない障害：
−  １５０ｋ  Ｏｈｍｓ＜絶縁抵抗＜３．５Ｍ  Ｏｈｍｓであるリーク故障
−  ６Ｖ＜電線の電圧＜５０Ｖである外国電圧
さらに、回線に少なくともアクティビティがあった時点で、ＤＥＬＴモニタリングが実行されなければならないことを説明しなければならない。これは、回線が、同期モードかショータイムモードのいずれかでなければならないことを意味する。ほとんどのＤＥＬＴ測定は、エンドユーザに対して完全に透過的に、すなわち、ショータイムモードの間に実行され得る。しかしながら、クワイエットラインノイズ（Ｑｕｉｅｔ  Ｌｉｎｅ  Ｎｏｉｓｅ）ＱＬＮ、およびチャネル特性機能Ｈｌｏｇなどのいくつかの種類のＤＥＬＴ測定は、同期モードの間にのみ実行され得る。同期モードの間に回線をモニタリングすることは、それらのパラメータの有効かつ最新の値を保証するために必須である。さらに、同期モードの間にのみ測定可能なパラメータは、チャネル特性などの障害のさらなる診断に有用なパラメータであり、Ｈｌｏｇ（ｆ）は銅ループとそのトポロジの物理的状態に関する貴重な情報を提供する。一方、同期モードの間にすべての回線についてこれらの特定のＤＥＬＴ測定を行うことは、あまりにも多くの時間がかかりすぎ、あまりにも多くのＣＰＵリソースを要求し、管理ネットワーク上にあまりにも多くのトラフィックを生成し、問題がない大半の回線に無駄なサービス中断を生成することが理解されなければならない。
【００２２】
ＭＥＬＴによって検出された障害の重度に応じて、および事業者のあらかじめ定義されたカテゴリによって、診断エンジンは回線を再同期して、または再同期せずに、ＤＥＬＴを起動することを決定する。回線がショータイムモードであり、障害が重度の障害である場合、回線は３０−６０秒にわたって中断される必要があり、その後、回線の再同期を再び起動することができ、すなわち回線が強制的に同期モードになる。
【００２３】
したがって、基本的な考え方による通信回線の障害を遠隔で分析するための方法が、重度モジュールによって、障害が重度の障害かどうかを決定して、その後すぐにその旨を決定モジュールに通知するさらなるステップであって、そのような重度の障害が、起こりうるＭＥＬＴ障害の中の障害の種類のあらかじめ定義されたカテゴリである通知するステップと、回線がショータイムモードであり、障害が極めて重度の障害である場合、回線の同期モードの再起動を決定モジュールによって強制して、それによって、少なくともこの同期モードの間、デュアルエンド回線テスト測定技法によって、第２のあらかじめ定められた回線特性の測定を保証するステップとで実装される。
【００２４】
回線の同期モードのそのような起こりうる再起動、および第２の測定モジュールのアクティブ化のためのトリガを、あらかじめ定義された時間まで遅延させるようにさらに構成された決定モジュールについて、さらなる実装形態が説明される。実際には、ＭＥＬＴ障害は、あらかじめ定義された事業者の好みによって、結合モジュールによって主要な障害として、すなわち重度の障害としてすでに自動的に分類され得るが、障害は直ちに再同期を開始するのに十分なほど重度ではないと決定される。回線の同期の自動的な再起動が、あらかじめ定められた時間まで遅延される。この時間は、たとえば、夜間の時間としてあらかじめ定義され得る。
【００２５】
回線がショータイムモードではないが、障害が重度の障害であると思われる場合についての、さらなる実施形態が説明される。このような状況では、決定モジュールは、回線の同期モードが開始するまで待機するが、開始したら直ちに利用するようにさらに構成される。それによって、決定モジュールは、少なくとも同期モードの間、デュアルエンド回線テスト測定技法によって第２のあらかじめ定められた回線特性の測定を保証する。
【００２６】
ショータイムモジュール報告と重度モジュール報告との第４の組合せは、回線がショータイムモードではなく、障害が重度の障害ではない状況である。これによって、決定モジュールは、回線がショータイムモードではなく、障害が重度の障害ではない場合、ショータイムモジュールが回線はショータイムモードであると報告するまで、第２の測定モジュールのアクティブ化を遅延させるように構成される。
【００２７】
さらなる可能な実装形態は、本出願による診断エンジンが通信アクセスノードに含まれることである。
【００２８】
最後の実装形態は、診断エンジンがＤＳＬ通信回線に連結されることである。
【００２９】
特許請求の範囲において使用される「備える（ｃｏｍｐｒｉｓｉｎｇ）」という用語は、それ以降に列挙される手段に対する限定として解釈されるべきではない点に留意されたい。したがって、「手段Ａおよび手段Ｂを備えるデバイス（ａ  ｄｅｖｉｃｅ  ｃｏｍｐｒｉｓｉｎｇ  ｍｅａｎｓ  Ａ  ａｎｄ  Ｂ）」という表現の範囲は、構成要素Ａおよび構成要素Ｂのみからなるデバイスに限定されるべきではない。それは、本発明に関して、デバイスの唯一の関連構成要素がＡおよびＢであることを意味する。
【００３０】
同様に、やはり特許請求の範囲で使用される「連結された（ｃｏｕｐｌｅｄ）」という用語は、直接接続のみに限定されるものとして解釈されるべきではない点に留意されたい。したがって、「デバイスＢに連結されたデバイスＡ（ａ  ｄｅｖｉｃｅ  Ａ  ｃｏｕｐｌｅｄ  ｔｏ  ａ  ｄｅｖｉｃｅ  Ｂ）」という表現の範囲は、デバイスＡの出力がデバイスＢの入力に直接接続されるデバイスまたはシステムに限定されるべきではない。それは、他の装置または手段を含む経路であってもよい、Ａの出力とＢの入力の間の経路が存在するということを意味する。
【００３１】
添付の図面と合わせて実施形態の以下の説明を参照することによって、本発明の上記および他の目的ならびに特性はいっそう明らかになり、本発明自体が最もよく理解されるであろう。図１は、診断エンジンに連結されたアクセス通信回線を表しており、図２は本出願による診断エンジンを表している。
【００３２】
図２に示される通信環境による本発明によるデバイスの機能は、その中に示される異なるブロックの機能説明によって説明される。この説明に基づいて、ブロックの実際の実装形態は当業者に自明であり、したがって詳細に説明しない。さらに、通信回線の障害を遠隔で分析するための方法の原理作用をさらに詳細に説明する。
【図面の簡単な説明】
【００３３】
【図１】診断エンジンに連結されたアクセス通信回線を表している。
【図２】本出願による診断エンジンを表している。
【発明を実施するための形態】
【００３４】
図１を参照すると、アクセス通信回線が示されている。例を挙げると、回線は一方の終端で２つのエンドユーザデバイス、すなわち、電話デバイスとＤＳＬの加入者宅内機器ＣＰＥに連結されている。回線は、もう一方の終端で断エンジンＤＥへ連結されている。
【００３５】
以下の段落では、それぞれの測定技術ＭＥＬＴおよびＤＥＬＴのグローバルな機能について説明する。
【００３６】
接地されたバインダーシールド（ｂｉｎｄｅｒ  ｓｈｉｅｌｄｉｎｇ）にツイストペアによって実現された電話回線が、通信アクセス回線として示されている。
【００３７】
メタリック回線テスト技法ＭＥＬＴは、上述したように、狭帯域幅内の終端が１つの回線テストソリューションであり、また、狭帯域回線テストＮＢＬＴソリューションとして知られている。そのようなＭＥＬＴモジュールは、通信回線の終端に連結されている。直接メタリック接続は、それぞれの２本のワイヤであるチップ（ＴＩＰ）とリング（ＲＩＮＧ）との間に確立されている。バインダーシールドは地電位ＧＮＤに接続されている。したがってＭＥＬＴテストは、３本のワイヤ測定ソリューションを提供する。ＡＣおよびＤＣ電圧／電流測定値が収集される。これによって、狭帯域回線モデルパラメータ、すなわちＭＥＬＴ測定技術による回線特性である、抵抗、キャパシタンス、その終端インピーダンス、および絶縁抵抗などの推定が可能になる。
【００３８】
しかしながら、ＭＥＬＴ技法が提供するのは、低周波回路回線の特性だけである。
【００３９】
回線の動作パラメータを調査して、それらのＤＳＬサービスへの影響を直接定量化するために、ＤＥＬＴ測定技法が使用される。初期設定段階、すなわち回線がショータイムモードの間、回線がサービス中であるか、回線がサービス状態に入る直前に、デュアルエンド回線テストＤＥＬＴ測定がｘＤＳＬモデム自体によって実行される。結果として得られた測定された回線特性はモデム機器に格納され、事業者管理ネットワークへのアクセスを有するソフトウェアによってポーリングされ得る。測定はモデム自体によって行われているので、ＤＥＬＴは、モデムが両側で回線に接続されており、モデムがしばらくの間サービス状態である時にのみ利用可能である。回線が破損するか、加入者宅内機器ＣＰＥが全く存在しない場合、それらの測定は利用不可能であるか、無意味である。ＤＥＬＴは、物理層上の問題を検出して、それらのサービスへの影響を定量化するために使用される。測定はｘＤＳＬ帯域内で行われ（通常、ｘＤＳＬ技術のタイプに応じて２０ｋＨｚ−数ＭＨｚ）、そのため同じ周波数帯域内で機能するはずのｘＤＳＬサービスへの問題への影響を定量化するために非常に有用になる。
【００４０】
診断エンジンＤＥは、そのような第１の測定モジュールＭＥＬＴ、およびそのような第２の測定モジュールＤＥＬＴを備える。上記で説明したように、ＭＥＬＴ技法は、障害のすべての特徴を分析するには不十分である。さらに、ＭＥＬＴ技法はＤＥＬＴ技法と組み合わせることができる。しかしながら、これは、顧客の苦情の際に事業者によって実行される手動の組合せである。
【００４１】
この問題は、本出願による自動診断エンジンによって解決され、それは図２に示されている。
【００４２】
図２を参照すると、診断エンジンは、第１の測定モジュールＭＥＬＴ、および第２の測定モジュールＤＥＬＴを備える。上記で説明したように、両方の測定モジュールは、通信回線に連結されている。なお、この図２を簡略化するために、ツイストペアへの連結を表すために１つの回線だけが示されていることに留意されたい。
【００４３】
ＭＥＬＴモジュールおよびＤＥＬＴモジュールに加えて、診断エンジンＤＥは以下をさらに含む：
−  決定モジュールＤＥＴ、および、
−  結合モジュールＣＭ、および、
−  ショータイムモジュールＳＨＯＷＴＩＭＥ。
【００４４】
次に、結合モジュールは、障害検出モジュールＦＡＵＬＴおよび重度モジュールＳＥＶＥＲＥを備える。
【００４５】
通信回線は、ＤＥＬＴモジュールおよびＭＥＬＴモジュールに連結されていることに加えて、また、ショータイムモジュールＳＨＯＷＴＩＭＥ、および決定モジュールＤＥＴにも連結されている。
【００４６】
障害モジュールＦＡＵＬＴは、第１の測定モジュールＭＥＬＴ、および重度モジュールＳＥＶＥＲＥにも連結されている。
【００４７】
障害モジュールＦＡＵＬＴは決定モジュールＤＥＴにさらに連結されており、次に決定モジュールＤＥＴは、ショータイムモジュールＳＨＯＷＴＩＭＥ、および第２の測定モジュールＤＥＬＴに連結されている。
【００４８】
次に、本出願による診断エンジンＤＥの機能について説明する。
【００４９】
上記で説明したように、第１の測定モジュールＭＥＬＴが、メタリック回線テスト測定技法によって、第１のあらかじめ定められた回線特性を測定する。このＭＥＬＴ測定技法は、図１で説明したＭＥＬＴ測定技法と同様である。
【００５０】
ＭＥＬＴ測定値がメモリモジュール（図示せず）に格納されて、分析されて、以前の測定値と比較される。このメモリは、たとえば障害検出モジュールに組み込まれ得る。実際の測定値と以前の測定値との間に大きいずれがある場合、障害検出モジュールが、これらの第１のあらかじめ定められた回線特性に基づいて障害を検出して、警報信号を自動的に生成する、すなわち、障害検出モジュールＦＡＵＬＴが直ちに決定モジュールＤＥＴをトリガする。
【００５１】
警報信号を受信すると、決定モジュールＤＥＴは、回線の実際の状態を決定するために、ショータイムモジュールＳＨＯＷＴＩＭＥと通信する。ショータイムモジュールＳＨＯＷＴＩＭＥが、回線の状態を決定する。実際の実施形態によれば、決定モジュールは通信回線に連結されており、通信回線の両端の２つのモデムがアクセスネットワークを介して通信しているかどうかを決定することが可能である。ショータイムモードの決定は、回線自体へのそのような直接連結に限定されないことに留意されたい。たとえばネットワークサイトで受信したデータを分析することなどの、代替的な実施形態も使用され得る。ショータイムモジュールＳＨＯＷＴＩＭＥは、その後すぐにその旨を決定モジュールＤＥＴに通知する。図２を参照すると、「ショータイムモード」がショータイムモジュールＳＨＯＷＴＩＭＥと決定手段ＤＥＴとの間の連結の隣の「Ｙ」によって示されており、「非ショータイムモード」がショータイムモジュールＳＨＯＷＴＩＭＥと決定手段ＤＥＴとの間の連結の隣の「Ｎ」によって示されている。
【００５２】
決定モジュールＤＥＴへの通信回線についてショータイムモードが確認された場合、以下の段落で議論される別の状況がまだ可能であるが、遅かれ早かれ決定モジュールＤＥＴが第２の測定モジュールＤＥＬＴのアクティブ化を自動的にトリガする。
【００５３】
通信回線についてショータイムモードが確認されない場合、自動トリガはまだ提供されない。ショータイムモードまたは同期モードがＤＥＬＴ測定に義務付けられているため、回線がショータイムモードではなく、同期モードでもない状況では、決定モジュールＤＥＴは、サービスがアクティブ化されて回線が同期モードおよび／またはショータイムモードになるまで待機せざるを得ない。
【００５４】
第２の測定モジュールＤＥＬＴは、デュアルエンド回線テスト測定技法によって、第２のあらかじめ定められた回線特性を測定するように構成されている。このＤＥＬＴ測定技法は、図１で説明したＤＥＬＴ測定技法と同様である。
【００５５】
最後に、結合モジュールＣＭは、回線の測定された第１のあらかじめ定められた回線特性と第２のあらかじめ定められた回線特性とを結合して、それをもって障害のさらなる特徴を分析する。
【００５６】
この実際に説明した好ましい実施形態によると、また上述したように、事業者の好みによって、複数の異なる起こりうるＭＥＬＴ障害が複数の異なるあらかじめ定義されたカテゴリに分類される。この事前定義は、この詳細な実装形態に限定するものではないが、重度モジュールＳＥＶＥＲＥに格納される。障害モジュールＦＡＵＬＴによって障害が検出された場合、障害モジュールは、検出された障害に関する測定を重度モジュールＳＥＶＥＲＥに転送する。重度モジュールＳＥＶＥＲＥは、受信した測定値と別のあらかじめ定義されたカテゴリのあらかじめ定義された限界とを自動的に比較する。このように、重度モジュールＳＥＶＥＲＥは、障害が重度の障害であるか否かを自動的に決定する。実際の説明した実施形態によって、重度モジュールＳＥＶＥＲＥからの矢印の隣の「Ｙ」で示されているＭＥＬＴ障害、すなわち「重度の障害」と、重度モジュールＳＥＶＥＲＥからの矢印の隣の「Ｎ」で示されている「重度の障害ではない」の２つのカテゴリを仮定する。
【００５７】
一旦障害がＭＥＬＴ測定値に基づいて検出されて、そのことから決定モジュールＤＥＴがトリガされると、それは重度モジュールＳＥＶＥＲＥと通信する。重度モジュールＳＥＶＥＲＥは、障害が重度の障害か否かを決定して、その後すぐにその旨を決定モジュールに通知する。
【００５８】
ショータイムモードＹ／Ｎと重度の障害Ｙ／Ｎとの間の異なる組合せ、ならびに関連する決定、および決定手段ＤＥＴによって実行されるべき動作が、図２に表によって視覚化されている。
【００５９】
第１の組合せは、回線がショータイムモードであり（ＳＨＯＷＴＩＭＥ  Ｙ）、障害が重度の障害ではない（ＳＥＶＥＲＥ  Ｎ）状況について説明されている。決定モジュールは、第２の測定モジュールＤＥＬＴのアクティブ化をトリガする。これは、動作「ＤＥＬＴ」で表に示されている。
【００６０】
さらに図２を参照すると、またこの表によると、回線がショータイムであり（ＳＨＯＷＴＩＭＥ  Ｙ）、障害が重度の障害である（ＳＥＶＥＲＥ  Ｙ）場合、決定モジュールＤＥＴが回線の同期モードを再起動する。上述のように、このような状況では、検出されたＭＥＬＴ障害はユーザに配信されるサービスの中断を可能にするのに十分な重度であり、すなわちショータイムが中断される。ＭＥＬＴ障害が検出された回線が再び同期されるか、「回線が強制的に同期されている」とも呼ばれる。実際には、これは、回線が３０−６０秒間中断され、その後同期モードが再び再起動されることを意味する。一方、決定手段ＤＥＴも第２の測定モジュールをトリガして、それによって、少なくとも回線の同期モードの間、デュアルエンド回線テスト測定技法によって、第２のあらかじめ定められた回線特性の測定が実行されることを保証する。この状況は、「再同期（Ｒｅｓｙｎｃ）＋ＤＥＬＴ」で示されており、すなわち回線の同期モードの再起動を積極的に強制して、それによって、少なくともこの同期モードの間、デュアルエンド回線テスト測定技法によって、第２のあらかじめ定められた回線特性の測定を保証する。
【００６１】
「再同期＋ＤＥＬＴ」の実行の可能な実装形態は、決定モジュールＤＥＴが同期モードの再起動、および回線の第２の測定モジュールＤＥＬＴのアクティブ化のトリガを、あらかじめ定義された時間まで、たとえば夜間の時間まで遅延させることである。
【００６２】
ショータイムの値および重度の障害の値の別の組合せは、回線がショータイムではなく（ＳＨＯＷＴＩＭＥ  Ｎ）、障害が重度の障害である（ＳＥＶＥＲＥ  Ｎ）場合である。図２を参照すると、動作「同期＋ＤＥＬＴを待機する」が勧められている。障害が十分に重度な障害であるので、一旦回線が同期モードに入ったら集中的な測定が行われるべきであるという事実の利点が考慮されるべきである。決定モジュールＤＥＬＴは回線の同期モードが開始するまで待機（パッシブ）して、それによって、少なくとも同期モードの間、デュアルエンド回線テスト測定技法によって、第２のあらかじめ定められた回線特性の測定を保証する。
【００６３】
回線がショータイムではなく（ＳＨＯＷＴＩＭＥ  Ｎ）、障害が重度の障害ではない（ＳＥＶＥＲＥ  Ｎ）場合の、最後の組合せが説明される。このような状況で、決定モジュールＤＥＴが、ショータイムモジュールＳＨＯＷＴＩＭＥが回線はショータイムモードに入ったと報告するまで、第２の測定モジュールのアクティブ化を遅延させる。実際には、障害は以前の同期モードの間に大量のデータの収集を可能にするのに十分なほど重度ではなく、ショータイムが実際に確立されると第２の測定モジュールだけがトリガされてアクティブ化される。
【００６４】
実際の説明した実施形態によれば、障害検出モジュールＦＡＵＬＴおよび重度モジュールＳＥＶＥＲＥは、結合モジュールＣＭに含まれることに留意しなければならない。しかしながら、実際の基本的な考え方の実装形態は、そのような実装形態に限定されるものではない。障害検出モジュールが結合モジュール内に含まれない実施形態を説明するために、上記の説明に小さな修正が行われてよい。
【００６５】
最後に留意されたいのは、本発明の実施形態は機能ブロックに関して上記で説明されていることである。上記で与えられたこれらのブロックの機能説明から、これらのブロックの実施形態がよく知られている電子部品で製造され得る方法が、電子デバイスを設計する当業者には明らかであろう。したがって、機能ブロックの内容の詳細なアーキテクチャは与えられていない。
【００６６】
本発明の原理を特定の装置に関連して上記で説明したが、この説明は実施例として作成されたにすぎず、添付の特許請求の範囲に規定される本発明の範囲を限定するものではないことが明確に理解されるべきである。
【図１】
2014534662.tif 000003
【図２】
2014534662.tif 000004
【国際調査報告】
2014534662.tif 000005
2014534662.tif 000006
2014534662.tif 000007